【手続補正書】
【提出日】平成24年10月31日(2012.10.31)
【手続補正１】
【補正対象書類名】特許請求の範囲
【補正対象項目名】全文
【補正方法】変更
【補正の内容】
【特許請求の範囲】
【請求項１】
ターゲット本体を備えるパーツを測定するための装置であって、ターゲット本体は、
流路と、
ターゲット本体から延びる拡大可能なシャフトと
を備え、シャフトは、シャフトの直径に沿って延び、且つ流路を有する導管と導管の流路内に収容される流体とを備え、導管は流体が与圧されるときに拡大可能であり、ターゲット本体はさらに、
流路内の流体を与圧することにより導管を拡大させることができる与圧系統を備え、さらに与圧系統は導管内に収容されるプランジャーを備え、プランジャーは、プランジャーにバイアスをかけることによって導管内の流体を与圧するように構成されている、装置。
【請求項２】
中心軸を特徴とするパーツの穴を測定するための装置であって、当該装置は、与圧構成及び非与圧構成を有し、当該装置は、
導管を備える本体と、
本体から延びる拡大可能なシャフトと
を備え、シャフトは、シャフトの中心線に沿って延び、且つ流路を有する導管と導管の流路内に収容される流体とを備え、導管は、非与圧構成においてパーツの穴の中にぴったり嵌合し、且つ与圧構成において穴に接触するように延び、当該装置はさらに、
流路内の流体を与圧することにより導管を与圧構成に拡大させることができる与圧系統を備え、与圧系統は、
流路内へ延びるネジと、
流路内に配置されるプランジャーと、
流路内の、ネジとプランジャーの間に配置されるボールベアリングと
をさらに備え、ネジとプランジャーとボールベアリングとは、ネジを操作することによって、流体を与圧下に置かれるようにプランジャーにバイアスをかけることができるように構成され、
与圧構成において導管は、導管の中心線が穴の中心軸とほぼ一致する、装置。
【請求項３】
拡大可能なシャフトが中心線を有し、流路内の流体を与圧すると導管が中心線の周りで拡大する、請求項１に記載の装置。
【請求項４】
導管が、スチール、アルミニウム、エラストマー系強化プラスチック、及びエラストマー系非強化プラスチックより選択された材料からなる、請求項１又は２に記載の装置。
【請求項５】
導管が、パーツに設けられる穴に受容されるほぼ円筒形の部分を有する、請求項１又は２に記載の装置。
【請求項６】
ターゲット本体が、与圧系統を収容する流路を有し、与圧系統が、
表面の一部の周りに溝を有するネジと、
溝内に配置されたシールと
を備え、ネジを操作することによって流体を与圧することができる、請求項１に記載の装置。
【請求項７】
導管が拡大する前に与圧下にある流体が収縮しない、請求項１又は２に記載の装置。
【請求項８】
流体が、作動油、ブレーキ液、水、及び非腐食性流体から選択される、請求項１又は２に記載の装置。
【請求項９】
ターゲット本体が、写真測量法のターゲット、セオドライト用ターゲット、建設用ボール、タッチプローブ用ターゲット、座標測定機械のプローブ用ターゲット、レーザートラッカー用ターゲット、及びレーザープロジェクター用ターゲットから選択される、請求項１に記載の方法。
【請求項１０】
穴を有するパーツ
をさらに備え、導管が穴の中に位置し、且つ導管が拡大すると拡大可能なシャフトが穴の中にぴったり嵌合し、よって拡大可能なシャフトの中心線が穴の軸とほぼ一致する、請求項１に記載の装置。
【請求項１１】
パーツが、移動プラットフォーム、固定プラットフォーム、地上構造、水上構造、宇宙構造、航空機、海上船、戦車、人員運搬車、列車、宇宙船、宇宙ステーション、衛星、潜水艦、自動車、発電所、橋、ダム、製造設備、及びビルの中から選択された一つに使用される、請求項１０に記載の装置。
【請求項１２】
本体が、与圧系統を収容する流路を有し、与圧系統が、
表面の一部の周りに溝を有するネジと、
溝内に配置されたシールと
を備え、ネジを操作することによって流体を与圧することができる、請求項２に記載の装置。
【請求項１３】
本体が、写真測量法のターゲット、セオドライト用ターゲット、建設用ボール、タッチプローブ用ターゲット、座標測定機械のプローブ用ターゲット、レーザートラッカー用ターゲット、及びレーザープロジェクター用ターゲットから選択される、請求項２に記載の方法。
【請求項１４】
パーツが、移動プラットフォーム、固定プラットフォーム、地上構造、水上構造、宇宙構造、航空機、海上船、戦車、人員運搬車、列車、宇宙船、宇宙ステーション、衛星、潜水艦、自動車、発電所、橋、ダム、製造設備、及びビルの中から選択された一つに含まれる、請求項１０に記載の装置。
【手続補正２】
【補正対象書類名】明細書
【補正対象項目名】００４３
【補正方法】変更
【補正の内容】
【００４３】
限定しないが、例えば移動プラットフォーム、固定プラットフォーム、地上構造、水上構造、宇宙構造、及び／又は他の何らかの適切な物体に他の有利な実施形態を適用することができる。具体的には、限定しないが、例えば潜水艦、バス、人員運搬車、戦車、列車、自動車、宇宙船、宇宙ステーション、衛星、海上船、発電所、ダム、製造設備、ビル、及び／又はその他何らかの適切な物体に種々の有利な実施形態を適用することができる。また別の非限定的実施例として、工具に種々の有利な実施形態を適用することができる。
さらに、種々の有利な実施形態は、他の有利な実施形態と比較して種々の利点を提供することができる。選択された一又は複数の実施形態は、これらの実施形態の原理と実用例の最良の説明となり、且つ他の当業者が、様々な実施形態の開示内容と、考慮される特定の用途に適した様々な修正とを理解できるように、選択及び説明されている。
また、本発明は以下に記載する態様を含む。
（態様１）
ターゲット本体、及び
ターゲット本体から延びる拡大可能なシャフト
を備える装置。
（態様２）
拡大可能なシャフトが、
流路を有する導管、及び
導管の流路内に収容される流体
を備え、流体が与圧されるとき導管が拡大可能である、態様１に記載の装置。
（態様３）
流路内の流体を与圧することにより導管を拡大させることができる与圧系統
をさらに備える、態様２に記載の装置。
（態様４）
拡大可能なシャフトが中心線を有し、流路内の流体を与圧すると導管が中心線の周りで拡大する、態様３に記載の装置。
（態様５）
導管が、スチール、アルミニウム、エラストマー系強化プラスチック、及びエラストマー系非強化プラスチックより選択された材料からなる、態様２に記載の装置。
（態様６）
導管が、パーツに設けられる穴に受容されるほぼ円筒形の部分を有する、態様２に記載の装置。
（態様７）
ターゲット本体が、与圧系統を収容する流路を有し、与圧系統が、
流路内へ延びるネジ、
流路内に配置されるプランジャー、及び
流路内の、ネジとプランジャーの間に配置されるボールベアリング
を備え、ネジを操作することによって、流体を与圧するようにプランジャーにバイアスをかけることができる、態様３に記載の装置。
（態様８）
ターゲット本体が、与圧系統を収容する流路を有し、与圧系統が、
表面の一部の周りに溝を有するネジ、及び
溝内に配置されたシール
を備え、ネジを操作することによって流体を与圧することができる、態様３に記載の装置。
（態様９）
導管が拡大する前に与圧下にある流体が収縮しない、態様２に記載の装置。
（態様１０）
流体が、作動油、ブレーキ液、水、及び非腐食性流体から選択される、態様２に記載の装置。
（態様１１）
穴を有するパーツ
をさらに備え、導管が穴の中に位置し、且つ導管が拡大すると拡大可能なシャフトが穴の中にぴったり嵌合し、よって拡大可能なシャフトの中心線が穴の軸とほぼ一致する、態様２に記載の装置。
（態様１２）
パーツの加工方法であって、
複数の測定ターゲットを、パーツに設けられた複数の穴の中に配置するステップ、
複数の測定ターゲットの各々の与圧系統を起動することにより、各測定ターゲットのターゲット本体から延びる拡大可能なシャフトを、パーツに設けられた複数の穴のうちの対応する穴の中で拡大させて、複数の配置済み測定ターゲットを形成するステップ、及び
複数の配置済み測定ターゲットを使用して複数の穴を測定するステップ
を含む方法。
（態様１３）
複数の配置済み測定ターゲットを用いて獲得した複数の穴の測定値を使用して、前記パーツと共に使用される新規パーツを製造するステップ
をさらに含む、態様１２に記載の方法。
（態様１４）
拡大可能なシャフトが中心線を有し、拡大可能なシャフトが拡大すると、その中心線が対応する穴の軸とほぼ一致する、態様１２に記載の方法。
（態様１５）
ターゲット本体が、写真測量法のターゲット、セオドライト用ターゲット、建設用ボール、タッチプローブ用ターゲット、座標測定機械のプローブ用ターゲット、レーザートラッカー用ターゲット、及びレーザープロジェクター用ターゲットから選択される、態様１２に記載の方法。